(57)【要約】本出願は、アレイ基板と、前記アレイ基板に対向する対向基板と、前記アレイ基板の前記対向基板から遠い方の側に位置する導光格子層とを有する表示パネルを説明する。３次元画像表示モードでの前記導光格子層は、交互に設けられた複数の発光領域及び複数の非発光領域を有するように構成されることにより、格子を形成する。前記導光格子層は、前記複数の発光領域から発光するように構成され、且つ前記複数の非発光領域から発光しないように構成されることにより、前記表示パネルに３次元画像を表示する。
2020531878.tif 000002
【特許請求の範囲】
【請求項１】
表示パネルであって、
アレイ基板と、
前記アレイ基板に対向する対向基板と、
前記アレイ基板の前記対向基板から遠い方の側に位置する導光格子層と
を含み、
３次元画像表示モードでの前記導光格子層は、交互に設けられた複数の発光領域及び複数の非発光領域を有するように構成されることにより、格子を形成し、
前記導光格子層は、前記複数の発光領域から発光するように構成され、且つ前記複数の非発光領域から発光しないように構成されることにより、前記表示パネルに３次元画像を表示する、表示パネル。
【請求項２】
導光格子ピッチアジャスターを更に含み、
前記導光格子ピッチアジャスターは、複数の視域と前記表示パネルの間の実視距離の変化に応じて、前記導光格子層における複数の発光領域のピッチを調整するように構成される、請求項１に記載の表示パネル。
【請求項３】
前記導光格子ピッチアジャスターは、
前記３次元画像表示モードで画像を表示するための画像表示命令を受信すると、前記複数の視域と前記表示パネルの間の実視距離を取得するように構成され、且つ前記実視距離に基づいて、前記導光格子層における複数の発光領域のピッチを調整するように構成される、請求項２に記載の表示パネル。
【請求項４】
前記導光格子ピッチアジャスターは、
前記導光格子層における前記複数の発光領域の形成を制御し、
前記実視距離の変化に応じて、前記導光格子層における前記複数の発光領域の各々の幅及び前記導光格子層における複数の発光領域のピッチをリアルタイムで調整するように構成される、請求項２乃至３のいずれか１項に記載の表示パネル。
【請求項５】
前記導光格子層は、複数の導光棒を含み、
前記複数の導光棒の各々は、前記表示パネルにおける複数のゲートラインの走査方向に実質的に平行な方向に沿って延在し、
前記複数の導光棒の各々の長さ方向は、前記表示パネルにおける複数のゲートラインの走査方向に実質的に垂直であり、
前記導光格子ピッチアジャスターは、前記実視距離の変化に応じて、前記導光格子層における前記複数の発光領域の各々の幅を調整するように構成され、
前記導光格子ピッチアジャスターは、前記複数の導光棒の中から複数のターゲット導光棒を選択的に制御して発光させる一方、前記複数の導光棒のうち他の導光棒を発光しないよう制御するように構成されることで、複数の非発光領域により離間された複数の発光領域の格子を形成し、
前記複数の発光領域の各々は、発光するよう制御される前記複数のターゲット導光棒を少なくとも一つ含む、請求項２乃至４のいずれか１項に記載の表示パネル。
【請求項６】
前記導光格子ピッチアジャスターは、
前記複数の視域と前記表示パネルの間の前記実視距離を検出するように構成される距離検出器と、
前記実視距離に基づいて、前記導光格子層における前記複数の発光領域のピッチを決定するように構成されるプロセッサと、
コントローラーと
を含み、
前記プロセッサは、前記プロセッサにより決定された前記ピッチに基づいて、第１制御信号を生成し、前記第１制御信号を前記コントローラーに送信するように構成され、
前記コントローラーは、前記プロセッサから前記第１制御信号を受信すると、前記複数の導光棒の中から複数のターゲット導光棒を選択的に制御して発光させる一方、前記複数の導光棒のうち他の導光棒を発光しないよう制御するように構成されることにより、複数の非発光領域により離間された複数の発光領域の格子を形成する、請求項５に記載の表示パネル。
【請求項７】
前記コントローラーに電気的に接続される複数の光源を更に含み、
前記複数の光源の各々は、前記複数の導光棒の一側面に取り付けられる、請求項６に記載の表示パネル。
【請求項８】
前記複数の導光棒の各々は、封入層に封入された複数の光ファイバーのうちの一つを含み、
前記封入層は、前記複数の光ファイバーの屈折率より小さい屈折率を有し、
前記複数の光源は、前記コントローラーに電気的に接続される複数の発光ダイオードチップを含み、
前記導光格子層は、前記複数の導光棒の各々において、光の全反射を局部的に乱して光を前記導光格子層外部へ反射する複数の導光ポイントを含む、請求項７に記載の表示パネル。
【請求項９】
前記複数の導光ポイントは、前記封入層における複数のビアであり、前記複数のビアの各々は、前記複数の光ファイバーのうちの一つを前記導光格子層の発光側に接続し、
前記複数のビアの高さ方向は、前記アレイ基板の厚さ方向に実質的に平行であり、
前記複数のビアの高さ方向は、前記複数の導光棒の長さ方向に実質的に垂直である、請求項８に記載の表示パネル。
【請求項１０】
前記複数の導光ポイントは、複数のインクドットであり、前記複数のインクドットの各々は、前記複数の光ファイバーのうちの一つの、前記アレイ基板から遠い方の側に位置する、請求項８に記載の表示パネル。
【請求項１１】
２次元画像表示モードでの前記導光格子層は、前記導光格子層全体に亘って実質的に連続した単一の発光領域を有するように構成される、請求項１に記載の表示パネル。
【請求項１２】
導光格子ピッチアジャスターを更に含み、前記導光格子ピッチアジャスターは、前記２次元画像表示モードで画像を表示するための画像表示命令を受信すると、前記導光格子層を制御して前記導光格子層全体に亘って実質的に連続した単一の発光領域を形成させるように構成される、請求項１１に記載の表示パネル。
【請求項１３】
前記導光格子ピッチアジャスターは、
前記２次元画像表示モードを示す信号を受信すると、第２制御信号を生成するプロセッサと、
コントローラーと
を含み、
前記導光格子層は、複数の導光棒を含み、
前記複数の導光棒の各々は、前記表示パネルにおける複数のゲートラインの走査方向に実質的に平行な方向に沿って延在し、
前記複数の導光棒の各々の長さ方向は、前記表示パネルにおける複数のゲートラインの走査方向に実質的に垂直であり、
前記プロセッサは、前記第２制御信号を前記コントローラーが送信するように構成され、
前記コントローラーは、前記第２制御信号を受信すると、前記複数の導光棒の全部を制御して発光させることにより、前記導光格子層全体に亘って実質的に連続した単一の発光領域を形成する、請求項１２に記載の表示パネル。
【請求項１４】
表示パネルの制御方法であって、
前記表示パネルは、
アレイ基板と、
前記アレイ基板に対向する対向基板と、
前記アレイ基板の前記対向基板から遠い方の側に位置する導光格子層と
を含み、
３次元画像表示モードでの前記導光格子層は、交互に設けられた複数の発光領域及び複数の非発光領域を有するように構成されることにより、格子を形成し、
前記導光格子層は、前記複数の発光領域から発光するように構成され、且つ前記複数の非発光領域から発光しないように構成されることにより、前記表示パネルに３次元画像を表示し、
前記方法は、
３次元画像表示モードを示す信号を受信すると、複数の視域と前記表示パネルの間の実視距離を取得するステップと、
前記表示パネルの導光格子層における複数の非発光領域により離間された複数の発光領域の格子を形成するステップと、
前記実視距離の変化に応じて、前記導光格子層における前記複数の発光領域のピッチをリアルタイムで調整するステップと
を含む、表示パネルの制御方法。
【請求項１５】
前記導光格子層は、複数の導光棒を含み、
前記複数の導光棒の各々は、前記表示パネルにおける複数のゲートラインの走査方向に実質的に平行な方向に沿って延在し、
前記複数の導光棒の各々の長さ方向は、前記表示パネルにおける複数のゲートラインの走査方向に実質的に垂直であり、
前記導光格子層における複数の非発光領域により離間された複数の発光領域の格子を形成するステップは、
前記実視距離に基づいて、前記導光格子層における前記複数の発光領域の各々の幅を決定することにより、前記導光格子層における複数の発光領域のピッチを決定するステップと、
前記複数の導光棒の中から複数のターゲット導光棒を選択的に制御して発光させる一方、前記複数の導光棒のうち他の導光棒を発光しないよう制御することで、複数の非発光領域により離間された複数の発光領域格子を形成するステップと
を含み、
前記複数の発光領域の各々は、発光するよう制御される前記複数のターゲット導光棒を少なくとも一つ含む、請求項１４に記載の方法。
【請求項１６】
前記実視距離に基づいて、前記導光格子層における前記複数の発光領域の各々の幅を決定するステップは、
前記実視距離を取得するステップと、
前記実視距離に基づいて、前記導光格子層における前記複数の発光領域の各々の幅を決定するステップと
を含む、請求項１５に記載の方法。
【請求項１７】
前記複数の導光棒の中から複数のターゲット導光棒を選択的に制御して発光させるステップは、
決定された前記ピッチに基づいて、第１制御信号を生成するステップと、
前記第１制御信号を送信するステップと、
前記第１制御信号に基づいて、前記複数の導光棒の中から複数のターゲット導光棒を選択的に制御して発光させるステップと
を含む、請求項１５に記載の方法。
【請求項１８】
２次元画像表示モードを示す信号を受信すると、前記導光格子層を制御して前記導光格子層全体に亘って実質的に連続した単一の発光領域を形成させるステップを更に含む、請求項１４に記載の方法。
【請求項１９】
前記導光格子層は、複数の導光棒を含み、
前記導光格子層を制御して前記導光格子層全体に亘って実質的に連続した単一の発光領域を形成させるステップは、
前記２次元画像表示モードを示す信号を受信すると、第２制御信号を生成するステップと、
前記第２制御信号を送信するステップと、
前記複数の導光棒の全部を発光するように制御することで、前記導光格子層全体に亘って実質的に連続した単一の発光領域を形成するステップと
を含む、請求項１８に記載の方法。
【請求項２０】
表示パネルの製造方法であって、
ベース基板を提供するステップと、
前記ベース基板上に導光格子層を形成するステップと、
アレイ基板を形成するステップと、
対向基板を形成するステップと、
前記アレイ基板及び前記対向基板をセルに組み立てるステップと
を含み、
前記導光格子層は、前記アレイ基板の前記対向基板から遠い方の側に形成され、
３次元画像表示モードでの前記導光格子層は、交互に設けられた複数の発光領域及び複数の非発光領域を有するように構成されることにより、格子を形成し、
前記導光格子層は、前記複数の発光領域から発光するように構成され、且つ前記複数の非発光領域から発光しないように構成されることにより、前記表示パネルに３次元画像を表示する、表示パネルの製造方法。
【発明の詳細な説明】
【技術分野】
【０００１】
（関連出願の相互参照）
本出願は、２０１７年８月２１日に中国特許庁に提出された中国特許出願２０１７１０７１９９２２.１の優先権を主張し、その全ての内容が援用により本出願に取り込まれる。
【０００２】
本発明は、表示技術に関し、特に、表示パネル、表示パネルの制御方法及び表示パネルの製造方法に関する。
【背景技術】
【０００３】
マルチビュー表示装置又は３次元表示装置は、テレビ、エンターテインメントシステム、ゲームシステム、携帯電話、ナビゲーションシステムのような様々な表示装置として開発されている。近年、裸眼３次元表示装置は、研究開発の焦点となっている。通常、裸眼３次元表示装置は、視差バリア格子又はレンチキュラーレンズ格子のいずれかを用いる。裸眼３次元表示装置は、眼鏡をかけることを不要とし、視聴体験をより快適で便利にする。
【発明の概要】
【０００４】
本発明は、一つの側面において、表示パネルを提供する。前記表示パネルは、アレイ基板と、前記アレイ基板に対向する対向基板と、前記アレイ基板の前記対向基板から遠い方の側に位置する導光格子層とを含み、３次元画像表示モードでの前記導光格子層は、交互に設けられた複数の発光領域及び複数の非発光領域を有するように構成されることにより、格子を形成し、前記導光格子層は、前記複数の発光領域から発光するように構成され、且つ前記複数の非発光領域から発光しないように構成されることにより、前記表示パネルに３次元画像を表示する。
【０００５】
必要に応じて、前記表示パネルは、導光格子ピッチアジャスターを更に含み、前記導光格子ピッチアジャスターは、複数の視域と前記表示パネルの間の実視距離の変化に応じて、前記導光格子層における複数の発光領域のピッチを調整するように構成される。
【０００６】
必要に応じて、前記導光格子ピッチアジャスターは、前記３次元画像表示モードで画像を表示するための画像表示命令を受信すると、前記複数の視域と前記表示パネルの間の実視距離を取得するように構成され、且つ前記実視距離に基づいて、前記導光格子層における複数の発光領域のピッチを調整するように構成される。
【０００７】
必要に応じて、前記導光格子ピッチアジャスターは、前記導光格子層における前記複数の発光領域の形成を制御し、前記実視距離の変化に応じて、前記導光格子層における前記複数の発光領域の各々の幅及び前記導光格子層における複数の発光領域のピッチをリアルタイムで調整するように構成される。
【０００８】
必要に応じて、前記導光格子層は複数の導光棒を含み、前記複数の導光棒の各々は、前記表示パネルにおける複数のゲートラインの走査方向に実質的に平行な方向に沿って延在し、前記複数の導光棒の各々の長さ方向は、前記表示パネルにおける複数のゲートラインの走査方向に実質的に垂直であり、前記導光格子ピッチアジャスターは、前記実視距離の変化に応じて、前記導光格子層１０４における前記複数の発光領域の各々の幅を調整するように構成され、前記導光格子ピッチアジャスターは、前記複数の導光棒の中から複数のターゲット導光棒を選択的に制御して発光させる一方、前記複数の導光棒のうち他の導光棒を発光しないよう制御するように構成され、これにより、複数の非発光領域により離間された複数の発光領域の格子を形成し、前記複数の発光領域の各々は、発光するよう制御された前記複数のターゲット導光棒を少なくとも一つ含む。
【０００９】
必要に応じて、前記導光格子ピッチアジャスターは、前記複数の視域と前記表示パネルの間の前記実視距離を検出するように構成される距離検出器と、前記実視距離に基づいて、前記導光格子層における前記複数の発光領域のピッチを決定するように構成されるプロセッサと、コントローラーとを含み、前記プロセッサは、前記プロセッサにより決定された前記ピッチに基づいて第１制御信号を生成し、前記第１制御信号を前記コントローラーに送信するように構成され、前記コントローラーは、前記プロセッサから前記第１制御信号を受信すると、前記複数の導光棒の中から複数のターゲット導光棒を選択的に制御して発光させる一方、前記複数の導光棒のうち他の導光棒を発光させないよう制御するように構成され、これにより、複数の非発光領域により離間された複数の発光領域の格子を形成する。
【００１０】
必要に応じて、前記表示パネルは、前記コントローラーに電気的に接続される複数の光源を更に含み、前記複数の光源の各々は、前記複数の導光棒の一側面に取り付けられている。
【００１１】
必要に応じて、前記複数の導光棒の各々は、封入層に封入された複数の光ファイバーのうちの一つを含み、前記封入層は、前記複数の光ファイバーの屈折率より小さい屈折率を有し、前記複数の光源は、前記コントローラーに電気的に接続される複数の発光ダイオードチップを含み、前記導光格子層は、前記複数の導光棒の各々において、光の全反射を局部的に乱し、光を前記導光格子層外部へ反射する複数の導光ポイントを含む。
【００１２】
必要に応じて、前記複数の導光ポイントは、前記封入層における複数のビアであり、前記複数のビアの各々は、前記複数の光ファイバーのうちの一つを前記導光格子層の発光側に接続し、前記複数のビアの高さ方向は、前記アレイ基板の厚さ方向に実質的に平行であり、前記複数のビアの高さ方向は、前記複数の導光棒の長さ方向に実質的に垂直である。
【００１３】
必要に応じて、前記複数の導光ポイントは、複数のインクドットであり、前記複数のインクドットの各々は、前記複数の光ファイバーのうちの一つの、前記アレイ基板から遠い方の側に位置する。
【００１４】
必要に応じて、２次元画像表示モードでの前記導光格子層は、前記導光格子層全体に亘って実質的に連続した単一の発光領域を有するように構成される。
【００１５】
必要に応じて、前記表示パネルは、導光格子ピッチアジャスターを更に含み、当該導光格子ピッチアジャスターは、前記２次元画像表示モードで画像を表示するための画像表示命令を受信すると、前記導光格子層を制御して前記導光格子層全体に亘って実質的に連続した単一の発光領域を形成するように構成される。
【００１６】
必要に応じて、前記導光格子ピッチアジャスターは、前記２次元画像表示モードを示す信号を受信すると第２制御信号を生成するプロセッサと、コントローラーとを含み、前記導光格子層は、複数の導光棒を含み、前記複数の導光棒の各々は、前記表示パネルにおける複数のゲートラインの走査方向に実質的に平行な方向に沿って延在し、前記複数の導光棒の各々の長さ方向は、前記表示パネルにおける複数のゲートラインの走査方向に実質的に垂直であり、前記プロセッサは、前記第２制御信号を前記コントローラー送信するように構成され、前記コントローラーは、前記第２制御信号を受信すると、前記複数の導光棒の全部を発光するように制御することで、前記導光格子層全体に亘って実質的に連続した単一発光領域を形成する。
【００１７】
本発明は、別の側面において、表示パネルの制御方法を提供し、前記表示パネルは、アレイ基板と、前記アレイ基板に対向する対向基板と、前記アレイ基板の前記対向基板から遠い方の側に位置する導光格子層とを含み、３次元画像表示モードでの前記導光格子層は、交互に設けられた複数の発光領域及び複数の非発光領域を有するように構成されることにより、格子を形成し、前記導光格子層は、前記複数の発光領域から発光するように構成され、且つ前記複数の非発光領域から発光しないように構成されることにより、前記表示パネルに３次元画像を表示し、前記方法は、３次元画像表示モードを示す信号を受信すると、複数の視域と前記表示パネルの間の実視距離を取得するステップと、前記表示パネルの導光格子層における複数の非発光領域により離間された複数の発光領域の格子を形成するステップと、前記実視距離の変化に応じて、前記導光格子層における前記複数の発光領域のピッチをリアルタイムで調整するステップとを含む。
【００１８】
必要に応じて、前記導光格子層は、複数の導光棒を含み、前記複数の導光棒の各々は、前記表示パネルにおける複数のゲートラインの走査方向に実質的に平行な方向に沿って延在し、前記複数の導光棒の各々の長さ方向は、前記表示パネルにおける複数のゲートラインの走査方向に実質的に垂直であり、前記導光格子層における複数の非発光領域により離間された複数の発光領域の格子を形成するステップは、前記実視距離に基づいて、前記導光格子層における前記複数の発光領域の各々の幅を決定することにより、前記導光格子層における複数の発光領域のピッチを決定するステップと、前記複数の導光棒の中から複数のターゲット導光棒を選択的に制御して発光させる一方、前記複数の導光棒のうち他の導光棒を発光しないよう制御することで、複数の非発光領域により離間された複数の発光領域格子を形成するステップとを含み、前記複数の発光領域の各々は、発光するよう制御された前記複数のターゲット導光棒を少なくとも一つ含む。
【００１９】
必要に応じて、前記実視距離に基づいて、前記導光格子層における前記複数の発光領域の各々の幅を決定するステップは、前記実視距離を取得するステップと、前記実視距離に基づいて、前記導光格子層における前記複数の発光領域の各々の幅を決定するステップとを含む。
【００２０】
必要に応じて、前記複数の導光棒の中から複数のターゲット導光棒を選択的に制御して発光させるステップは、決定された前記ピッチに基づいて第１制御信号を生成するステップと、前記第１制御信号を送信するステップと、前記第１制御信号に基づいて、前記複数の導光棒の中から複数のターゲット導光棒を選択的に制御して発光させるステップとを含む。
【００２１】
必要に応じて、前記方法は、２次元画像表示モードを示す信号を受信すると、前記導光格子層を制御して前記導光格子層全体に亘って実質的に連続した単一の発光領域を形成するステップを更に含む。
【００２２】
必要に応じて、前記導光格子層は複数の導光棒を含み、前記導光格子層を制御して前記導光格子層全体に亘って実質的に連続した単一の発光領域を形成するステップは、前記２次元画像表示モードを示す信号を受信すると、第２制御信号を生成するステップと、前記第２制御信号を送信するステップと、前記複数の導光棒の全部を制御して発光させることにより、前記導光格子層全体に亘って実質的に連続した単一の発光領域を形成するステップとを含む。
【００２３】
本発明は、別の側面において、表示パネルの製造方法を提供する。前記方法は、ベース基板を提供するステップと、前記ベース基板上に導光格子層を形成するステップと、アレイ基板を形成するステップと、対向基板を形成するステップと、前記アレイ基板及び前記対向基板をセルに組み立てるステップとを含み、前記導光格子層は、前記アレイ基板の前記対向基板から遠い方の側に形成され、３次元画像表示モードでの前記導光格子層は、交互に設けられた複数の発光領域及び複数の非発光領域を有するように構成されることにより、格子を形成し、前記導光格子層は、前記複数の発光領域から発光するように構成され、且つ前記複数の非発光領域から発光しないように構成されることにより、前記表示パネルに３次元画像を表示する。
【００２４】
以下の図面は、単に開示された様々な実施例に係る説明の目的で用いられる例であり、本発明の範囲を限定することを意図するものではない。
【図面の簡単な説明】
【００２５】
【図１】本開示の実施例に係る表示パネルを使用できる環境の模式図である。
【図２】本開示に係る幾つかの実施例における表示パネルの構造を示す模式図である。
【図３】本開示に係る幾つかの実施例における表示パネルの構造を示す模式図である。
【図４】本開示に係る幾つかの実施例における導光格子ピッチアジャスターの構造を示す模式図である
【図５】本開示に係る幾つかの実施例における複数の光源及び複数の導光棒の構造を示す模式図である。
【図６Ａ】本開示に係る幾つかの実施例における調整可能な視距離を有する表示パネルでの３次元画像表示の作動原理を示す。
【図６Ｂ】本開示に係る幾つかの実施例における調整可能な視距離を有する表示パネルでの３次元画像表示の作動原理を示す。
【図７Ａ】本開示に係る幾つかの実施例における導光棒上の導光ポイントの構造を示す模式図である。
【図７Ｂ】本開示に係る幾つかの実施例における導光棒上の導光ポイントの構造を示す模式図である。
【図８】本開示に係る幾つかの実施例における表示パネルでの２次元画像表示の作動原理を示す。
【図９Ａ】本開示に係る幾つかの実施例における画像表示方法を示すフローチャートである。
【図９Ｂ】本開示に係る幾つかの実施例における画像表示方法を示すフローチャートである。
【図９Ｃ】本開示に係る幾つかの実施例における画像表示方法を示すフローチャートである。
【図９Ｄ】本開示に係る幾つかの実施例における画像表示方法を示すフローチャートである。
【図９Ｅ】本開示に係る幾つかの実施例における画像表示方法を示すフローチャートである。
【図９Ｆ】本開示に係る幾つかの実施例における画像表示方法を示すフローチャートである。
【図１０Ａ】本開示に係る幾つかの実施例における表示パネルの製造方法を示すフローチャートである。
【図１０Ｂ】本開示に係る幾つかの実施例における表示パネルの製造方法を示すフローチャートである。
【図１１】本開示に係る幾つかの実施例におけるベース基板上への導光格子層の製造過程を示す。
【発明を実施するための形態】
【００２６】
次に、以下の実施例を参照しながら本開示をより詳しく説明する。説明すべきことは、幾つかの実施例に対する以下の説明は、単に解釈及び説明の目的でここに記載される。網羅的であること、又は開示された正確な形式に限定されることを意図したものではない。
【００２７】
従来の３次元画像表示装置は、通常視差バリア格子を含んでおり、表示パネルから出射される光を複数の視域、例えば、観察者の左目及び右目に案内することにより、３次元画像表示を可能とする。具体的には、前記視差バリア格子は、前記表示パネルの発光側に配置されて、光学視差を有する二つの画像を観察者の両目にそれぞれ表示するように構成される。従来の３次元画像表示装置では、視差バリア格子の物理的パラメーターは、恒常的に設定される。例えば、前記格子のピッチは、調整不可である。従って、前記３次元画像表示の視距離も、前記格子のピッチに基づいて固定される。観察者が視距離から離れた距離で画像を見た時、観察者は、画像を適切に見ることができない。
【００２８】
従って、本開示は、とりわけ、関連技術の限界及び弱点による１つ以上の問題点を実質的に予防する表示パネル、表示パネルの制御方法及び製造方法を提供する。本開示は、一つの側面において、表示パネルを提供する。幾つかの実施例において、前記表示パネルは、アレイ基板と、前記アレイ基板に対向する対向基板と、前記アレイ基板の前記対向基板から遠い方の側に位置する導光格子層とを含む。３次元画像表示モードでの前記導光格子層は、交互に設けられた複数の発光領域及び複数の非発光領域を有するように構成されることにより、格子を形成する。前記導光格子層は、前記複数の発光領域から発光するように構成され、且つ前記複数の非発光領域から発光しないように構成されることにより、前記表示パネルに３次元画像を表示する。
【００２９】
図１は、本開示の実施例に係る表示パネルを使用できる環境の模式図である。図１を参照すると、前記環境は、表示装置０００１と、観視者０００２とを含む。前記表示装置０００１は、携帯電話、ラップトップ・コンピュータ、テレビ等のような各種の適切な表示装置であってよい。必要に応じて、表示装置０００１は、裸眼立体表示装置であり、観視者０００２は、３次元の眼鏡又はヘルメットを着用する必要なく前記３次元画像表示を見ることができる。必要に応じて、表示装置０００１は、前記観視者の左目及び右目に別々に表示されるオフセット画像を提示する。そして、両方のオフセット画像が前記観視者の脳内で合成され、３次元の奥行きの感覚を与える。必要に応じて、前記左目画像は、周期的なアレイ状に設けられた複数の第１サブ画像を含み、前記右目画像は、周期的なアレイ状に設けられた複数の第２サブ画像を含む。前記複数の第１サブ画像と前記複数の第２サブ画像とは、互いにオフセットされている。必要に応じて、前記複数の第１サブ画像と前記複数の第２サブ画像とは、実質的に同一の幅を有する。
【００３０】
図２は、本開示に係る幾つかの実施例における表示パネルの構造を示す模式図である。図２を参照すると、幾つかの実施例における表示パネルは、アレイ基板１０１と、アレイ基板１０１に対向する対向基板１０２とを含む。必要に応じて、前記表示パネルは、アレイ基板１０１と対向基板１０２の間の液晶層１０３を更に含む液晶表示パネルである。
【００３１】
幾つかの実施例において、前記表示パネルは、導光格子層１０４を更に含む。導光格子層１０４は、交互に設けられた複数の発光領域Ｇ及び複数の非発光領域Ｎを有するように構成されることにより、格子を形成する。導光格子層１０４は、複数の発光領域Ｇから発光するよう制御され、且つ複数の非発光領域Ｎから発光しないよう制御される。
【００３２】
幾つかの実施例において、前記表示パネルは、導光格子層１０４における複数の発光領域Ｇのピッチを調整するように構成される導光格子ピッチアジャスター３００を更に含む（図４も参照）。具体的には、導光格子ピッチアジャスター３００は、３次元画像表示モードで画像を表示するための画像表示命令を受信すると、前記観視者の目と前記表示パネルの間の実視距離を取得するように構成され、且つ前記実視距離に基づいて導光格子層１０４における複数の発光領域Ｇのピッチを調整するように構成される。具体的には、導光格子ピッチアジャスター３００は、（１）導光格子層１０４における複数の発光領域Ｇの形成を制御し、並びに（２）導光格子層１０４における複数の発光領域Ｇの各々の幅ｑ１を制御することによって、前記ピッチを調整するように構成される。また、導光格子ピッチアジャスター３００は、リアルタイムでの前記実視距離の変化に基づいて、導光格子層１０４における複数の発光領域Ｇの各々の幅ｑ１及び導光格子層１０４における複数の発光領域Ｇのピッチをリアルタイムで調整するように構成される。このような設計を有することにより、前記表示パネルは、前記観視者が様々な視距離から前記３次元画像表示モードで画像表示を見ることができるようにし、３次元画像を見るために前記表示パネルを固定された視距離に保つ必要がなくなる。
【００３３】
図３は、本開示に係る幾つかの実施例における表示パネルの構造を示す模式図である。図３を参照すると、導光格子層１０４は、複数の導光棒１０４１を含む。必要に応じて、複数の導光棒１０４１の各々は、前記表示パネルにおける複数のゲートラインの走査方向に実質的に平行な方向ｕに沿って延在する。複数の導光棒１０４１の各々の長さ方向（例えば、図５における方向ｘ）は、前記表示パネルにおける複数のゲートラインの走査方向（例えば、前記表示パネルにおける前記複数のゲートラインの延在方向）に実質的に垂直である。
【００３４】
上記のように、導光格子ピッチアジャスター３００は、前記実視距離に基づいて、導光格子層１０４における複数の発光領域Ｇの各々の幅ｑ１を制御するように構成される。必要に応じて、導光格子ピッチアジャスター３００は、複数の導光棒１０４１の中から複数のターゲット導光棒を選択的に制御して発光させる一方、複数の導光棒１０４１のうち他の導光棒を発光しないよう制御するように構成されることで、複数の非発光領域Ｎにより離間された複数の発光領域Ｇの格子を形成する。必要に応じて、複数の発光領域Ｇの各々は、発光するよう制御される前記複数のターゲット導光棒を少なくとも一つ含む。必要に応じて、複数の非発光領域Ｎの各々は、発光しないよう制御される複数の導光棒１０４１を少なくとも一つ含む。必要に応じて、図３を参照すると、複数の発光領域Ｇの各々は、発光するよう制御される前記複数のターゲット導光棒のうち隣接する２つの導光棒を含み、複数の非発光領域Ｎの各々は、発光しないよう制御される複数の導光棒１０４１のうち隣接する２つの導光棒を含む。図３は、複数の非発光領域Ｎの５つの非発光領域により離間された複数の発光領域Ｇの６つの発光領域を有する導光格子層１０４を示す。
【００３５】
図４は、本開示に係る幾つかの実施例における導光格子ピッチアジャスターの構造を示す模式図である。図４を参照すると、幾つかの実施例における導光格子ピッチアジャスター３００は、前記観視者と前記表示パネルの間の実視距離を検出するように構成される距離検出器３１０と、前記実視距離に基づいて、前記導光格子層における前記複数の発光領域のピッチを決定するように構成されるプロセッサ３２０と、コントローラー３３０とを含む。プロセッサ３２０は、プロセッサ３２０により決定された前記ピッチに基づいて第１制御信号生成し、前記第１制御信号をコントローラー３３０に送信するように構成される。コントローラー３３０は、プロセッサ３２０から前記第１制御信号を受信すると、前記複数の導光棒の中から複数のターゲット導光棒を選択的に制御して発光させる一方、前記複数の導光棒のうち他の導光棒を発光しないよう制御するように構成されることで、複数の非発光領域により離間された複数の発光領域の格子を形成する。必要に応じて、距離検出器３１０は、赤外線距離検出センサである。このように、コントローラー３３０は、複数の発光領域Ｇの各々の幅を制御することにより、前記導光格子層における前記複数の発光領域のピッチを制御する。
【００３６】
図５は、本開示に係る幾つかの実施例における複数の光源及び複数の導光棒の構造を示す模式図である。図５を参照すると、複数の導光棒１０４１の各々は、コントローラー３３０に電気的に接続される。コントローラー３３０は、前記第１制御信号を受信すると、複数の導光棒１０４１の各々について発光及び不発光を制御するように構成される。一例において、前記第１制御信号は、コントローラー３３０に指示を与えて、第２、第４、第６導光棒（左から右へ）を発光するように制御し、第１、第３、第５導光棒を発光しないように制御する
【００３７】
図３及び図５を参照すると、プロセッサ３２０は、プロセッサ３２０により決定された前記ピッチに基づいて第１制御信号を生成するように構成される。前記第１制御信号は、コントローラー３３０に指示を与えて、複数の導光棒１０４１の第１、第２、第５、第６、第９、第１０、第１３、第１４、第１７、第１８、第２１、第２２導光棒を発光させるように制御することで、複数の発光領域Ｇのうちの６つの発光領域を形成する。複数の導光棒１０４１のうち第１、第２導光棒は、複数の発光領域Ｇのうちの第１発光領域を構成する。複数の導光棒１０４１のうち第５、第６導光棒は、複数の発光領域Ｇのうちの第２発光領域を構成する。複数の導光棒１０４１のうち第９、第１０導光棒は、複数の発光領域Ｇのうちの第３発光領域を構成する。複数の導光棒１０４１のうち第１３、第１４導光棒は、複数の発光領域Ｇのうちの第４発光領域を構成する。複数の導光棒１０４１のうち第１７、第１８導光棒は、複数の発光領域Ｇのうちの第５発光領域を構成する。複数の導光棒１０４１のうち第２１、第２２導光棒は、複数の発光領域Ｇのうちの第６発光領域を構成する。
【００３８】
図５を参照すると、幾つかの実施例における導光格子層１０４は、複数の光源１０４２を更に含む。複数の光源１０４２の各々は、複数の導光棒１０４１の一側面に取り付けられる。導光格子層１０４を作るために様々な適切な導光棒を用いることができる。必要に応じて、複数の導光棒１０４１の各々は、棒状の導光板である。必要に応じて、複数の導光棒１０４１は、複数の光ファイバーを含む。前記複数の光ファイバーは、封入層１０４３に封入される。必要に応じて、封入層１０４３は、複数の導光棒１０４１（例えば、前記複数の光ファイバー）の屈折率より小さい屈折率を有する。複数の光源１０４２は、コントローラー３３０に電気的に接続される。必要に応じて、複数の光源１０４２は、複数の発光ダイオード（ＬＥＤ）を含む。必要に応じて、複数の光源１０４２は、複数のマイクロＬＥＤを含む。必要に応じて、複数の光源１０４２は、複数の発光ダイオード（ＬＥＤ）チップ、例えば、複数のマイクロＬＥＤチップを含む。
【００３９】
図６Ａ及び図６Ｂは、本開示に係る幾つかの実施例における調整可能な視距離を有する表示パネルでの３次元画像表示の作動原理を示す。図６Ａを参照すると、導光格子層１０４は、ベース基板１０７上に配置され、導光格子層１０４から出射される光は、アレイ基板１０１、液晶層１０３及び対向基板１０２に入射することにより、互いにオフセットされた第１サブ画像及び第２サブ画像を生成する。観視者の左目は、前記第１サブ画像を見、前記観視者の右目は、前記第２サブ画像を見る。オフセットされた前記第１サブ画像及び第２サブ画像は、前記観視者の脳内で合成されて３次元の奥行きの感覚を与える。必要に応じて、前記ベース基板１０７は、透明なベース基板である。
【００４０】
図６Ａを参照すると、第１タイムポイントでの実視距離は、ｋ１である。図６Ａに示すように、導光格子層１０４における複数の発光領域Ｇのピッチは、前記第１タイムポイントにおけるp１で示される。液晶層１０３と導光格子層１０４の間の距離は、ｈで示される。導光格子層１０４における複数の発光領域Ｇの各々の幅は、前記第１タイムポイントにおけるｑ１で示される。必要に応じて、ｑ１は、ピッチｐ１の約半分である。前記第２サブ画像の幅は、ｂである。
【００４１】
実視距離ｋ１と前記表示パネルの他のパラメーターの相関関係は、方程式（１）に基づいて決定することができる。
【００４２】
【数１】
2020531878.tif 000003
【００４３】
方程式（１）に基づいて、ピッチｐ１の異なる値は、異なる視距離に対応する。同様に、幅ｑ１の異なる値は、異なる視距離に対応する。従って、ピッチｐ１を変化させるか又は幅ｑ１を変化させることで、前記３次元モードでの画像表示を見るための視距離も変化する。方程式（１）に基づいて、ピッチｐ１（又は幅ｑ１）は、実視距離ｋ１の変化に応じて調整することができる。
【００４４】
図６Ｂを参照すると、実視距離ｋ２は、図６Ａにおける実視距離ｋ１よりも小さい。方程式（１）に基づいて、図６Ａにおけるピッチｐ１は、図６Ｂにおけるピッチｐ２に調整することができ、従って、観視者は、実視距離ｋ２で前記３次元モードでの画像表示を見続けることができる。実際には、上記のように、前記観視者が実視距離ｋ２で前記３次元モードでの画像表示を見続けられるように、図６Ａにおける幅ｑ１を図６Ｂにおける幅ｑ２に調整することができる。具体的には、図２〜５を参照すると、コントローラー３３０は、複数の導光棒１０４１の中から複数のターゲット導光棒を選択的に制御して発光させる一方、複数の導光棒１０４１のうち他の導光棒を発光しないよう制御するように構成されることで、複数の非発光領域Ｎにより離間された複数の発光領域Ｇの格子を形成する。複数の発光領域Ｇの各々における前記複数のターゲット導光棒の数を制御することによって、図６Ａにおける幅ｑ１を図６Ｂにおける幅ｑ２に調整することができ、従って、図６Ａにおけるピッチｐ１を図６Ｂにおけるピッチｐ２に調整することができる。
【００４５】
ピッチｐ２（及び幅ｑ２）が設定された後、導光格子層１０４から出射された光は、アレイ基板１０１、液晶層１０３及び対向基板１０２に入射されることにより、互いにオフセットされた第１サブ画像及び第２サブ画像を生成する。観視者の左目は、前記第１サブ画像を見、前記観視者の右目は、前記第２サブ画像を見る。オフセットされた前記第１サブ画像及び第２サブ画像は、前記観視者の脳内で合成されて３次元の奥行き感覚を与える。従って、前記観視者は、実視距離ｋ２で前記３次元モードでの画像表示を見続ける。
【００４６】
幾つかの実施例において、導光格子層１０４は、複数の導光棒１０４１の各々における複数の導光ポイント１０４４を更に含む。複数の導光棒１０４１に入射した光は、全反射により伝搬する。複数の導光ポイント１０４４は、光の全反射を局部的に乱し、光を導光格子層１０４外部へ反射させて、アレイ基板１０１、液晶層１０３及び対向基板１０２に入射させる。
【００４７】
図７Ａ及び図７Ｂは、本開示に係る幾つかの実施例における導光棒上の導光ポイントの構造を示す模式図である。図７Ａを参照すると、幾つかの実施例における複数の導光ポイント１０４４は、封入層１０４３における複数のビア（例えば、ブラインドビア）であり、該複数のビアの各々は、前記複数の光ファイバーのうちの一つを導光格子層１０４の発光側に接続する。必要に応じて、前記複数のビアの高さ方向ｖは、アレイ基板１０１の厚さ方向ｗに実質的に平行である。必要に応じて、前記複数のビアの高さ方向ｖは、複数の導光棒１０４１の長さ方向（図５で、ｘ方向で表示）に実質的に垂直である。図７Ｂを参照すると、幾つかの実施例における複数の導光ポイント１０４４は、複数のインクドットである。必要に応じて、前記複数のインクドットの各々は、前記複数の光ファイバーのうちの一つの、アレイ基板１０１から遠い方の側に位置する。必要に応じて、封入層１０４３は、実質的に透明な封入層である。
【００４８】
図３を参照すると、幾つかの実施例における表示パネルは、アレイ基板１０１の導光格子層１０４に近い方の側に位置する下偏光板１０５と、対向基板１０２の液晶層１０３から遠い方の側に位置する上偏光板１０６と、導光格子層１０４のアレイ基板１０１から遠い方の側に位置する実質的に透明なベース基板１０７とを更に含む。
【００４９】
幾つかの実施例において、前記表示パネルは、３次元画像表示モードで３次元画像を表示し、２次元画像表示モードで２次元画像を表示するように構成される。従って、幾つかの実施例における表示パネルは、前記３次元画像表示モードと２次元画像表示モードの切り替えを行うことができる。図８は、本開示に係る幾つかの実施例における表示パネルでの２次元画像表示の作動原理を示す。図８を参照すると、幾つかの実施例において、導光格子ピッチアジャスター３００は、前記２次元画像表示モードを示す信号を受信するように構成され、且つ導光格子層１０４全体に亘って実質的に連続した単一の発光領域を形成するように構成される。前記２次元画像表示モードを示す信号を受信すると、前記プロセッサは、第２制御信号を生成し、前記第２制御信号を前記コントローラーに送信するように構成される。前記第２制御信号は、前記コントローラーに指示を与えて複数の導光棒１０４１の全部を発光するように制御する。前記コントローラーは、前記第２制御信号を受信すると、複数の導光棒１０４１の全部を発光するように制御し、これにより光格子層１０４全体に亘って実質的に連続した単一の発光領域を形成するように構成される。前記表示パネルは、前記３次元画像表示モードから前記２次元画像表示モードに切り替わる。
【００５０】
幾つかの実施例において、前記表示パネルは、前記２次元画像表示モードから前記３次元画像表示モード切り替えることができる。前記２次元画像表示モードで、前記表示パネルは、前記３次元画像表示モードを示す信号を受信する。導光格子ピッチアジャスター３００は、前記３次元画像表示モードを示す信号を受信すると、観視者の目と前記表示パネルの間の実視距離を決定し、前記実視距離に基づいて、前記導光格子層１０４における複数の発光領域のピッチを調整するように構成される。具体的には、前記ピッチは、前記複数の発光領域の各々の幅を調整することにより、例えば、複数の導光棒１０４１の中から複数のターゲット導光棒を選択的に制御して発光させる一方、複数の導光棒１０４１のうち他の導光棒を発光しないよう制御することによって調整することができる。前記表示パネルは、前記２次元画像表示モードから前記３次元画像表示モードに切り替えることができる。
【００５１】
本表示パネルにおいて、前記導光格子ピッチアジャスターは、３次元画像表示モードで画像を表示するための画像表示命令を受信すると、前記観視者の目と前記表示パネルの間の実視距離を取得するように構成され、且つ前記実視距離に基づいて、前記導光格子層における複数の発光領域のピッチを調整するように構成される。例えば、前記導光格子ピッチアジャスターは、前記導光格子層における前記複数の発光領域の各々の幅を制御するように構成されることで、前記ピッチを調整する。前記導光格子ピッチアジャスターは、リアルタイムでの前記実視距離の変化に基づいて、前記ピッチをリアルタイムで調整できる。このような設計を有することにより、前記表示パネルは、前記観視者が様々な視距離から前記３次元画像表示モードで画像表示を見ることができるようにし、３次元画像を見るために前記表示パネルを固定された視距離に保つ必要がなくなる。
【００５２】
本開示は、別の側面において、本文に記載された表示パネルの制御方法を提供する。図９Ａ乃至９Ｆは、本開示に係る幾つかの実施例における画像表示方法を示すフローチャートである。図９Ａを参照すると、幾つかの実施例における方法は、（例えば、導光格子ピッチアジャスターを利用して）３次元画像表示モードを示す信号を受信すると、複数の視域と前記表示パネルの間の実視距離を取得するステップと、（例えば、前記導光格子ピッチアジャスターを利用して）導光格子層に複数の非発光領域により離間された複数の発光領域の格子を形成するステップと、（例えば、前記導光格子ピッチアジャスターを利用して）前記実視距離の変化に応じて、前記導光格子層における前記複数の発光領域のピッチを調整するステップとを含む。
【００５３】
図３に示すように、導光格子層１０４は、複数の導光棒１０４１を含む。必要に応じて、複数の導光棒１０４１の各々は、前記表示パネルにおける複数のゲートラインの走査方向に実質的に平行な方向ｕに沿って延在する。複数の導光棒１０４１の各々の長さ方向（例えば、図５における方向ｘを参照）は、前記表示パネルにおける複数のゲートラインの走査方向（例えば、前記表示パネルにおける前記複数のゲートラインの延在方向）に実質的に垂直である。
【００５４】
図９Ｂを参照すると、幾つかの実施例において、導光格子層に複数の非発光領域により離間された複数の発光領域の格子を形成するステップは、（例えば、前記導光格子ピッチアジャスターを利用して）前記実視距離に基づいて、前記導光格子層における前記複数の発光領域の各々の幅を決定することにより、前記導光格子層における複数の発光領域のピッチを決定するステップと、前記複数の導光棒の中から複数のターゲット導光棒を選択的に制御して発光させる一方、前記複数の導光棒のうち他の導光棒を発光しないよう制御することで、複数の非発光領域により離間された複数の発光領域の格子を形成するステップとを含む。必要に応じて、前記複数の発光領域の各々は、発光するよう制御される前記複数のターゲット導光棒を少なくとも一つ含む。
【００５５】
図４に示すように、幾つかの実施例における導光格子ピッチアジャスター３００は、前記観視者と前記表示パネルの間の実視距離を検出するように構成される距離検出器３１０と、前記実視距離に基づいて、前記導光格子層における前記複数の発光領域のピッチを決定するように構成されるプロセッサ３２０と、コントローラー３３０とを含む。必要に応じて、距離検出器３１０は、赤外線距離検出センサである。
【００５６】
図９Ｃを参照すると、幾つかの実施例において、前記実視距離に基づいて、前記導光格子層における前記複数の発光領域の各々の幅を決定（並びに、前記導光格子層における前記複数の発光領域のピッチを決定）するステップは、（例えば、前記距離検出器を利用して）前記実視距離を取得するステップと、（例えば、前記プロセッサを利用して）前記実視距離に基づいて、前記導光格子層における前記複数の発光領域の各々の幅を決定するステップとを含む。
【００５７】
図９Ｄを参照すると、幾つかの実施例において、前記複数の導光棒の中から複数のターゲット導光棒を選択的に制御して発光させるステップは、（例えば、前記プロセッサを利用して）決定された前記ピッチに基づいて第１制御信号を生成するステップと、前記第１制御信号を（例えば、前記コントローラーに）送信するステップと、（例えば、前記コントローラーを利用して）前記第１制御信号に基づいて、前記複数の導光棒の中から複数のターゲット導光棒を選択的に制御して発光させるステップとを含む。
【００５８】
幾つかの実施例において、前記方法は、前記表示パネルを制御して、３次元画像表示モードで３次元画像を表示し、２次元画像表示モードで２次元画像を表示させるステップを更に含む。図９Ｅを参照すると、幾つかの実施例における方法は、（１）（例えば、導光格子ピッチアジャスターを利用して）３次元画像表示モードを示す信号を受信すると、複数の視域と前記表示パネルの間の実視距離を取得するステップと、（例えば、前記導光格子ピッチアジャスターを利用して）導光格子層に複数の非発光領域により離間された複数の発光領域の格子を形成するステップと、（例えば、前記導光格子ピッチアジャスターを利用して）前記実視距離の変化に応じて、前記導光格子層における前記複数の発光領域のピッチを調整するステップと、（２）前記２次元画像表示モードを示す信号を受信すると、前記導光格子層を制御して前記導光格子層全体に亘って実質的に連続した単一の発光領域を形成させるステップとを含む。
【００５９】
図９Ｆを参照すると、幾つかの実施例において、前記導光格子層を制御して前記導光格子層全体に亘って実質的に連続した単一の発光領域を形成させるステップは、（例えば、前記プロセッサを利用して）前記２次元画像表示モードを示す信号を受信すると、第２制御信号を生成するステップと、前記第２制御信号を（例えば、前記コントローラーに）送信するステップと、（例えば、前記コントローラーにより）前記複数の導光棒の全部を発光するように制御することで、前記導光格子層全体に亘って実質的に連続した単一の発光領域を形成するステップとを含む。
【００６０】
幾つかの実施例において、前記方法は、前記表示パネルの表示モードを２次元画像表示モードから前記３次元画像表示モードに切り替えるステップを更に含む。前記２次元画像表示モードで、前記３次元画像表示モードを示す信号が生成される。例えば、前記導光格子ピッチアジャスターにより、前記３次元画像表示モードを示す信号を受信すると、前記方法は、前記観視者の目と前記表示パネルの間の実視距離を決定し、前記実視距離に基づいて、前記導光格子層における複数の発光領域のピッチを調整するステップを更に含む。具体的には、前記ピッチを調整するステップは、例えば、前記複数の導光棒の中から複数のターゲット導光棒を選択的に制御して発光させる一方、前記複数の導光棒のうち他の導光棒を発光しないよう制御することで、前記複数の発光領域の各々の幅を調整するステップを含む。従って、前記方法は、前記表示パネルの表示モードを前記２次元画像表示モードから前記３次元画像表示モードに切り替えることができる。
【００６１】
本制御方法において、前記導光格子ピッチアジャスターは、３次元画像表示モードで画像を表示するための画像表示命令を受信すると、前記観視者の目と前記表示パネルの間の実視距離を取得するように構成され、且つ前記実視距離に基づいて、前記導光格子層における複数の発光領域のピッチを調整するように構成される。例えば、前記導光格子ピッチアジャスターは、前記導光格子層における前記複数の発光領域の各々の幅を制御するように構成されることにより、前記ピッチを調整する。前記導光格子ピッチアジャスターは、リアルタイムでの前記実視距離の変化に基づいて、前記ピッチをリアルタイムで調整できる。このような設計を有することにより、前記表示パネルは、前記観視者が様々な視距離から前記３次元画像表示モードで画像表示を見ることができるようにし、３次元画像を見るために前記表示パネルを固定された視距離に保つ必要がなくなる。
【００６２】
本開示は、別の側面において、表示パネルの製造方法を提供する。図１０Ａ乃至図１０Ｂは、本開示に係る幾つかの実施例における表示パネルの製造方法を示すフローチャートである。図１０Ａを参照すると、幾つかの実施例における前記方法は、ベース基板を提供するステップと、前記ベース基板上に導光格子層を形成するステップとを含む。必要に応じて、前記ベース基板は、実質的に透明なベース基板である。図１１は、本開示に係る幾つかの実施例におけるベース基板上への導光格子層の製造過程を示す。図１１を参照すると、導光格子層１０４がベース基板１０７に形成される。導光格子層１０４は、複数の導光棒１０４１を含むように形成される。必要に応じて、複数の導光棒１０４１の各々は、前記表示パネルにおける複数のゲートラインの走査方向に実質的に平行な方向に沿って延在する。複数の導光棒１０４１の各々の長さ方向は、前記表示パネルにおける複数のゲートラインの走査方向（例えば、前記表示パネルにおける前記複数のゲートラインの延在方向）に実質的に垂直である。
【００６３】
幾つかの実施例において、前記導光格子層は、前記表示パネルに組み込むことができる。図１０Ｂを参照すると、幾つかの実施例における前記方法は、前記導光格子層の前記ベース基板から遠い方の側にアレイ基板を形成するステップと、対向基板を形成するステップと、前記アレイ基板及び前記対向基板をセルに組み立てるステップと、前記アレイ基板と前記対向基板の間に液晶層を形成するステップとを更に含む。必要に応じて、前記方法は、前記アレイ基板の前記導光格子層に近い方の側に下偏光板を形成し、前記対向基板の前記液晶層から遠い方の側に上偏光板を形成するステップを更に含む。
【００６４】
幾つかの実施例において、前記導光格子層は、別々に形成され、その後前記アレイ基板の前記対向基板から遠い方の側に取り付けられる。
【００６５】
幾つかの実施例において、前記方法は、導光格子ピッチアジャスターを形成するステップを更に含む。前記導光格子ピッチアジャスターは、３次元画像表示モードで画像を表示するための画像表示命令を受信すると、前記観視者の目と前記表示パネルの間の実視距離を取得するように形成され、且つ前記実視距離に基づいて、前記導光格子層における複数の発光領域のピッチを調整するように構成される。必要に応じて、前記導光格子ピッチアジャスターを形成するステップは、距離検出器を形成するステップと、プロセッサを形成するステップと、コントローラーを形成するステップとを含む。
【００６６】
本方法により製造された表示パネルにおいて、前記導光格子ピッチアジャスターは、３次元画像表示モードで画像を表示するための画像表示命令を受信すると、前記観視者の目と前記表示パネルの間の実視距離を取得するように構成され、且つ前記実視距離に基づいて、前記導光格子層における複数の発光領域のピッチを調整するように構成される。例えば、前記導光格子ピッチアジャスターは、前記導光格子層における前記複数の発光領域の各々の幅を制御するように構成されることにより、前記ピッチを調整する。前記導光格子ピッチアジャスターは、リアルタイムでの前記実視距離の変化に基づいて、前記ピッチをリアルタイムで調整できる。このような設計を有することにより、前記表示パネルは、前記観視者が様々な視距離から前記３次元画像表示モードで画像表示を見ることができるようにし、３次元画像を見るために前記表示パネルを固定された視距離に保つ必要がなくなる。
【００６７】
本開示は、別の側面において、本文に記載される表示基板又は本文に記載される方法により製造された表示基板を有する表示装置を提供する。適切な表示装置の例は、電子ペーパー、携帯電話、タブレットＰＣ、テレビ、モニター、ノートＰＣ、デジタルアルバム、ＧＰＳ等を含むが、これらに限定されるものではない。
【００６８】
本発明の実施例の前述の説明は、例示および説明の目的で提示されたものである。網羅的であること、或いは本発明が開示された正確な形式又は開示された例示的な実施例に限定することを意図したものではない。従って、前述の説明は、限定的なものではなく、説明的なものと見なされるべきである。明らかに、当業者にとって、多様な修正及び変更は自明である。本実施例は、本発明の原理及びその最適モードの実用的な適用を説明するために選択及び記載され、これにより、当業者は、本発明の特定用途又は意図される実施形態に適した様々な実施例及び様々な変形を理解できるようになる。本発明の範囲は、ここに添付される特許請求の範囲及びその均等物により定義されることが意図されており、その中で、すべての用語は、特に明記しない限り、その最も広い合理的な意味である。従って、「発明」、「本発明」等の用語は、必ずしも特許請求の範囲を具体的な実施例に限定するものではなく、本発明の例示的な実施例に対する言及は、本発明に対する限定を意味するものではなく、且つこのような限定は推論されない。本発明は、添付された請求項の範囲の精神及び範囲のみにより限定される。なお、これらの請求項は、名詞又は要素の前に「第１」、「第２」等の用語を使用してもよい。このような用語は、命名法として理解されるべきであり、既に具体的な数量が与えられていない限り、このような命名法により修飾される要素の数量に対する限定として解釈されるべきではない。記載された効果及び利点が本発明のすべての実施例に適用されるわけではない。理解すべきことは、以下の請求項により限定される本発明の範囲を逸脱せずに、当業者は、記載された実施例に対する変形を行うことができる。なお、本開示におけるいかなる要素及び構成部品も、該要素又は構成部品が以下の請求項に明示的に列挙されているか否かを問わず、公衆に捧げることを意図していない。
【図１】
2020531878.tif 000004
【図２】
2020531878.tif 000005
【図３】
2020531878.tif 000006
【図４】
2020531878.tif 000007
【図５】
2020531878.tif 000008
【図６Ａ】
2020531878.tif 000009
【図６Ｂ】
2020531878.tif 000010
【図７Ａ】
2020531878.tif 000011
【図７Ｂ】
2020531878.tif 000012
【図８】
2020531878.tif 000013
【図９Ａ】
2020531878.tif 000014
【図９Ｂ】
2020531878.tif 000015
【図９Ｃ】
2020531878.tif 000016
【図９Ｄ】
2020531878.tif 000017
【図９Ｅ】
2020531878.tif 000018
【図９Ｆ】
2020531878.tif 000019
【図１０Ａ】
2020531878.tif 000020
【図１０Ｂ】
2020531878.tif 000021
【図１１】
2020531878.tif 000022
【国際調査報告】
2020531878.tif 000023
2020531878.tif 000024